(57)【要約】【課題】各ノードを構成するためにかかる経費を節減することができる環状光ネットワークの構成を提供する。【解決手段】本発明の２−光ファイバ環状光ネットワークは、第１及び第２光ファイバによりリンクされた多数のノードを含む環状光ネットワークにおいて、各ノードは、第１光ファイバに進行する光信号からプロテクションチャンネルを分離するための第１分離部２１０と、第１分離部を通過した光信号に対してチャンネルアド／ドロップを遂行するための第１アド／ドロップ部２２０と、隣接ノード間のリンク障害がない場合にプロテクションチャンネルを第１光ファイバに結合させ、隣接ノード間のリンク障害がある場合にプロテクションチャンネルを第２光ファイバに結合させるための第１スイッチング部２３０と、光ファイバのリンク障害を認識し、復旧のために制御信号を出力するための制御部２７０とを含むことを特徴とする。【選択図】図２
2004140834.tif 000002
【特許請求の範囲】
【請求項１】
　第１及び第２光ファイバによりリンクされた多数のノードを含む環状光ネットワークにおいて、
　前記各ノードは、
　前記第１光ファイバに進行する光信号からプロテクションチャンネルを分離するための第１分離部と、
　該第１分離部を通過した光信号に対してチャンネルアド／ドロップを遂行するための第１アド／ドロップ部と、
　隣接ノード間のリンク障害がない場合に前記プロテクションチャンネルを前記第１光ファイバに結合させ、隣接ノード間のリンク障害がある場合に前記プロテクションチャンネルを前記第２光ファイバに結合させるための第１スイッチング部と、
　前記各光ファイバのリンク障害を認識し、復旧のために制御信号を出力するための制御部とを含むことを特徴とする２−光ファイバ環状光ネットワーク。
【請求項２】
　第１分離部は光フィルタを含む請求項１記載の２−光ファイバ環状光ネットワーク。
【請求項３】
　ノードは、
　第２光ファイバに進行する光信号からプロテクションチャンネルを分離するための第２分離部と、
　該第２分離部を通過した光信号に対してチャンネルアド／ドロップを遂行するための第２アド／ドロップ部と、
　隣接ノード間のリンク障害がない場合に前記プロテクションチャンネルを前記第２光ファイバに結合させ、隣接ノード間のリンク障害がある場合に前記プロテクションチャンネルを前記第１光ファイバに結合させるための第２スイッチング部とをさらに含む請求項１記載の２−光ファイバ環状光ネットワーク。
【請求項４】
　第２分離部は光フィルタを含む請求項３記載の２−光ファイバ環状光ネットワーク。
【請求項５】
　第１アド／ドロップ部は、 
　第１分離部を通過して入力された光信号を波長分割逆多重化して多数のチャンネルに出力するための第１デマルチプレクサと、
　該第１デマルチプレクサからドロップされたチャンネルを光電変換して出力するための第１光受信機と、
　前記第１デマルチプレクサと前記第１光受信機との間の経路上に設けられ、前記第１光受信機に入力されるチャンネルの一部を分岐して制御部に出力するための第１タップカプラと、
　アドされるチャンネルを出力するための第１光送信機と、
　前記第１デマルチプレクサと前記第１光送信機とから入力されたチャンネルを波長分割多重化して出力するための第１マルチプレクサと、
　前記第１光送信機と前記第１マルチプレクサとの間の経路上に設けられ、前記第１光送信機から出力されるチャンネルの一部を分岐して前記制御部に出力するための第２タップカプラとを含む請求項１記載の２−光ファイバ環状光ネットワーク。
【請求項６】
　第１デマルチプレクサは導波路列格子を含む請求項５記載の２−光ファイバ環状光ネットワーク。
【請求項７】
　第１光送信機はレーザダイオードを含む請求項５記載の２−光ファイバ環状光ネットワーク。
【請求項８】
　第１光受信機はフォトダイオードを含む請求項５記載の２−光ファイバ環状光ネットワーク。
【請求項９】
　第１スイッチング部は、
　制御部で生成された制御信号により、第１分離部から入力されたプロテクションチャンネルを通過させ、あるいはスイッチングするための第１スイッチと、
　該第１スイッチを通過したプロテクションチャンネルと第２アド／ドロップ部から入力されたプロテクションチャンネルとを結合して出力するための第１タップカプラと、
　第１マルチプレクサから入力されるチャンネルアド／ドロップされた光信号と前記第１カプラから入力されるプロテクションチャンネルとを結合して出力するための第２タップカプラと、
　第２分離部と前記第２アド／ドロップ部との間に設けられ、前記第１スイッチからスイッチングして出力されたプロテクションチャンネルと前記第２分離部から出力された光信号とを結合させるための第３カプラとを含む請求項５記載の２−光ファイバ環状光ネットワーク。
【請求項１０】
　第２アド／ドロップ部は、
　第２分離部を通過して入力された光信号を波長分割逆多重化して多数のチャンネルに出力するための第２デマルチプレクサと、
　該第２デマルチプレクサからドロップされたチャンネルを光電変換して出力するための第２光受信機と、
　前記第２デマルチプレクサと前記第２光受信機との間の経路上に設けられ、前記第２光受信機に入力されるチャンネルの一部を分岐して制御部に出力するための第３タップカプラと、
　アドされるチャンネルを出力するための第２光送信機と、
　前記第２デマルチプレクサと前記第２光送信機とから入力されたチャンネルを波長分割多重化して出力するための第２マルチプレクサと、
　前記第２光送信機と前記第２マルチプレクサとの間の経路上に設けられ、前記第２光送信機から出力されるチャンネルの一部を分岐して前記制御部に出力するための第４タップカプラとを含む請求項９記載の２−光ファイバ環状光ネットワーク。
【請求項１１】
　第２デマルチプレクサは導波路列格子を含む請求項９記載の２−光ファイバ環状光ネットワーク。
【請求項１２】
　第１光送信機はレーザダイオードを含む請求項９記載の２−光ファイバ環状光ネットワーク。
【請求項１３】
　第１光受信機はフォトダイオードを含む請求項９記載の２−光ファイバ環状光ネットワーク。
【請求項１４】
　第２スイッチング部は、
　制御部で生成された制御信号により、第２分離部から入力されたプロテクションチャンネルを通過させ、あるいはスイッチングするための第２スイッチと、
　該第２スイッチを通過したプロテクションチャンネルと第１アド／ドロップ部から入力されたプロテクションチャンネルとを結合して出力するための第４タップカプラと、
　第２マルチプレクサから入力されるチャンネルアド／ドロップされた光信号と前記第４カプラから入力されるプロテクションチャンネルとを結合して出力するための第５タップカプラと、
　第１分離部と前記第１アド／ドロップ部との間に設けられ、前記第２スイッチからスイッチングして出力されたプロテクションチャンネルと前記第１分離部から出力された光信号とを結合させるための第６タップカプラとを含んで構成される請求項１０記載の２−光ファイバ環状光ネットワーク。 
【発明の詳細な説明】
【技術分野】
【０００１】
　本発明は環状光ネットワークに関するもので、特に環状光ネットワークに備えられるノードの構造に関するものである。 
【背景技術】
【０００２】
　急激なインターネットトラヒックの増加は、バックボーンネットワーク(back-bone network)を始めとして、すべてのネットワークの広い帯域幅(bandwidth)を要求するようになった。波長分割多重方式(wavelength division multiplexing：ＷＤＭ)に基づいた環状光ネットワーク(optical ring network)はネットワークの構成が容易であり、ネットワークのスイッチング復旧、初期費用の節減などにより注目されているネットワークトポロジー(network topology)で、すでに世界の多数国で多く採択されている。 
【０００３】
　一般に、このような環状光ネットワークではネットワークの特性上、ネットワークを構成するすべてのノード間の完全接続性(full-mesh connect)を持たなければならない。現在、２本または４本の光ファイバをベースにした波長分割多重化による多重波長だけでなく、各ノード対を連結して光経路を構築する方式も主に利用されている。データトラヒックの増加にしたがって、ネットワークが受容すべき伝送量が増加し、大容量伝送のための光ファイバの不足現像も生じると予想される。また、メトロネットワーク(Metro Network)の効率性などを考えるとき、４本の光ファイバからなった環状光ネットワークよりも、２本の光ファイバからなるネットワークの有用性のほうが高いと予想され、４本の光ファイバからなる環状光ネットワークよりも２本からなる環状光ネットワークに対する関心が高くなってくる。 
【０００４】
　環状光ネットワークを構成するために一般的に利用される方式は、ＵＷＰＳＲ(Unidirectional Wavelength Path Switching Ring)とＢＦＬＳＲ(Bidirectional Fiber Line Switching Ring)が代表的である。しかし、ＵＷＰＳＲとＢＦＬＳＲはネットワークの完全接続性を解決するために、多くの光チャンネルを必要とする。このような方式の問題点を解決するためにＢＷＰＳＲ(Bidirectional Wavelength Path Switching Ring)方式が最近では使用されている。ＵＷＰＳＲ構造の場合、スイッチング復旧状況での速い復旧が可能で、その構造が非常に簡単であるという長所がある。しかし、すべての構成ノードを連結するために必要な光チャンネル数が非常に多くて全体的な伝送量と構成ノードの個数に限界があるという問題点がある。また、各光ファイバごとにＷＤＭチャンネル数だけのポートを有する波長分割マルチプレクサを採択すべきであり、各ノードごとにアド／ドロップ(Add/Drop)されるチャンネル数だけのスイッチを必要とする。さらに、リンク障害時にスイッチング復旧のための時間が長くかかるという問題点がある。
【０００５】
　ＢＦＬＳＲの場合は必要な光チャンネル数は減少するが、ソネット(SONET)などの既存設備との連動性に問題点が発生し、ＢＷＰＳＲに比べて必要波長数が多く、３２チャンネルを使用する場合に３２ポートの導波路列格子(arrayed waveguides grating：ＡＷＧ)のような波長分割マルチプレクサが多数必要であるという問題点が発生する。 
【０００６】
　すなわち、上述したすべての場合においてＷＤＭチャンネル数だけのポートを有する波長分割マルチプレクサを必要とする。波長分割マルチプレクサのポート数が多くなれば、それ自体の価格が高くなり、各ポートと連結される構成素子の数が増加することを意味するので、各ノードを構成するためにかかる経費が高くなるという問題点がある。 
【発明の開示】
【発明が解決しようとする課題】
【０００７】
　本発明は上述した従来の問題点を解決するために案出されたもので、その目的は、各ノードを構成するためにかかる経費を節減することができる環状光ネットワークの構成を提供することにある。 
【０００８】
　また本発明の目的は、従来に比べて帯域幅を効率的に使用することができる環状光ネットワークの構成を提供することにある。
【０００９】
　本発明の他の目的は、従来に比べてスイッチング復旧にかかる時間を短縮することができる環状光ネットワークの構成を提供することにある。 
【課題を解決するための手段】
【００１０】
　本発明は、第１及び第２光ファイバによりリンクされた多数のノードを含む環状光ネットワークにおいて、その各ノードは、第１光ファイバに進行する光信号からプロテクションチャンネルを分離するための第１分離部と、第１分離部を通過した光信号に対してチャンネルアド／ドロップを遂行するための第１アド／ドロップ部と、隣接ノード間のリンク障害がない場合にプロテクションチャンネルを第１光ファイバに結合させ、隣接ノード間のリンク障害がある場合にプロテクションチャンネルを第２光ファイバに結合させるための第１スイッチング部と、光ファイバのリンク障害を認識し、復旧のために制御信号を出力するための制御部とを含むことを特徴とする２−（２本式）光ファイバ環状光ネットワークを提供する。
【００１１】
　この環状光ネットワークにおけるノードは、第２光ファイバに進行する光信号からプロテクションチャンネルを分離するための第２分離部と、第２分離部を通過した光信号に対してチャンネルアド／ドロップを遂行するための第２アド／ドロップ部と、隣接ノード間のリンク障害がない場合にプロテクションチャンネルを第２光ファイバに結合させ、隣接ノード間のリンク障害がある場合にプロテクションチャンネルを第１光ファイバに結合させるための第２スイッチング部とをさらに含むことができる。
【００１２】
　その第１分離部及び第２分離部は光フィルタを含む構成とすることができる。
【００１３】
　第１アド／ドロップ部は、第１分離部を通過して入力された光信号を波長分割逆多重化して多数のチャンネルに出力するための第１デマルチプレクサと、第１デマルチプレクサからドロップされたチャンネルを光電変換して出力するための第１光受信機と、第１デマルチプレクサと第１光受信機との間の経路上に設けられ、第１光受信機に入力されるチャンネルの一部を分岐して制御部に出力するための第１タップカプラと、アドされるチャンネルを出力するための第１光送信機と、第１デマルチプレクサと第１光送信機とから入力されたチャンネルを波長分割多重化して出力するための第１マルチプレクサと、第１光送信機と第１マルチプレクサとの間の経路上に設けられ、第１光送信機から出力されるチャンネルの一部を分岐して制御部に出力するための第２タップカプラとを含む構成とすることができる。第１デマルチプレクサは導波路列格子を含み、第１光送信機はレーザダイオードを含み、第１光受信機はフォトダイオードを含む構成が可能である。
【００１４】
　また、第１スイッチング部は、制御部で生成された制御信号により、第１分離部から入力されたプロテクションチャンネルを通過させ、あるいはスイッチングするための第１スイッチと、第１スイッチを通過したプロテクションチャンネルと第２アド／ドロップ部から入力されたプロテクションチャンネルとを結合して出力するための第１タップカプラと、第１マルチプレクサから入力されるチャンネルアド／ドロップされた光信号と第１カプラから入力されるプロテクションチャンネルとを結合して出力するための第２タップカプラと、第２分離部と第２アド／ドロップ部との間に設けられ、第１スイッチからスイッチングして出力されたプロテクションチャンネルと第２分離部から出力された光信号とを結合させるための第３カプラとを含む構成とすることができる。
【００１５】
　第２アド／ドロップ部は、第２分離部を通過して入力された光信号を波長分割逆多重化して多数のチャンネルに出力するための第２デマルチプレクサと、第２デマルチプレクサからドロップされたチャンネルを光電変換して出力するための第２光受信機と、第２デマルチプレクサと第２光受信機との間の経路上に設けられ、第２光受信機に入力されるチャンネルの一部を分岐して制御部に出力するための第３タップカプラと、アドされるチャンネルを出力するための第２光送信機と、第２デマルチプレクサと第２光送信機とから入力されたチャンネルを波長分割多重化して出力するための第２マルチプレクサと、第２光送信機と第２マルチプレクサとの間の経路上に設けられ、第２光送信機から出力されるチャンネルの一部を分岐して制御部に出力するための第４タップカプラとを含む構成とすることができる。第２デマルチプレクサは導波路列格子を含み、第１光送信機はレーザダイオードを含み、第１光受信機はフォトダイオードを含む構成が可能である。
【００１６】
　第２スイッチング部は、制御部で生成された制御信号により、第２分離部から入力されたプロテクションチャンネルを通過させ、あるいはスイッチングするための第２スイッチと、第２スイッチを通過したプロテクションチャンネルと第１アド／ドロップ部から入力されたプロテクションチャンネルとを結合して出力するための第４タップカプラと、第２マルチプレクサから入力されるチャンネルアド／ドロップされた光信号と第４カプラから入力されるプロテクションチャンネルとを結合して出力するための第５タップカプラと、第１分離部と第１アド／ドロップ部との間に設けられ、第２スイッチからスイッチングして出力されたプロテクションチャンネルと第１分離部から出力された光信号とを結合させるための第６タップカプラとを含む構成とすることができる。
【発明の効果】
【００１７】
　本発明による環状光ネットワークは、波長分割マルチプレクサのポート数を減少することにより、各ノードを構成するのにかかる経費を低減可能である利点がある。 
【００１８】
　また本発明による環状光ネットワークは、光経路の設定時に波長を再活用することができてすべての構成ノードを連結するのに必要な波長数の側面でＵＷＰＳＲやＢＷＬＳＲより有利であるという効果がある。
【００１９】
　本発明による環状光ネットワークは、ＢＷＰＳＲの経路設定を利用して該当ノードでドロップされるチャンネルを認識し、これをスイッチング復旧に利用して速い復旧を可能にする利点がある。
【００２０】
　さらに本発明による環状光ネットワークは、光ファイバリンクを通じて入力される多重化された光信号でプロテクションチャンネルを分離した後、これをスイッチングし、あるいは光経路を異なるようにすることにより、ＯＡＤＭ(optical add/drop module)ノードのマルチプレクサ、デマルチプレクサで処理すべきチャンネル数を減少させることができる利点がある。 
【発明を実施するための最良の形態】
【００２１】
　以下、添付の図面を参照して本発明の望ましい実施形態を詳細に説明する。本発明の説明において、本発明の要旨の説明に特に必要ではない公知機能や構成に対する説明は省略する。
【００２２】
　図１は、本発明による環状光ネットワークの構成例を示すものである。この環状光ネットワークは６つのノード（Ａ，Ｂ，Ｃ，Ｆ，Ｇ，Ｈ）２００と、これら６つのノード２００を順次に連結する第１及び第２光ファイバリンク１１０，１２０を含む。図１には制限された数のノードを例示しているが、より多くの数のノードが環状光ネットワークに含まれうることを注意すべきである。 
【００２３】
　この環状光ネットワークは時計方向のリングと反時計方向のリングで構成された２−光ファイバＷＤＭ環状光ネットワークであって、すべてのノード２００が完全な接続性を有する。理解の便宜のために、図１には時計方向に進行する光信号の伝送媒体となる第１光ファイバリンク１１０の光経路だけを示しているが、実質的に反時計方向に進行する光信号の伝送媒体となる第２光ファイバリンク１２０の光経路も存在する。また、本例の環状光ネットワークは、新たなノードが追加される場合に備えるネットワークの拡張やネットワークのリンクに障害が発生する場合に備える速いスイッチング復旧が可能な構成を有する。当該環状光ネットワークの基本的な形態はＢＷＰＳＲの形態を取っているが、このようなＢＷＰＳＲのための光経路設定方法は公知のところである。
【００２４】
　第１光ファイバリンク１１０に対する光経路のスタート点とエンド点を反対に設定すれば、第２光ファイバリンク１２０の光経路となる。言い換えれば、ノード２００のＢから始まってノード２００のＦで終わる光経路は、表１に示す第３波長Ｗ３に該当し、ノード２００のＦから始まってノード２００のＢで終わるノード対概念の光経路が第２光ファイバリンク１２０に設定されている。
【００２５】
【表１】
2004140834.tif 000003
【００２６】
　上記表１は環状光ネットワークで第１光ファイバリンク１１０の光経路設定を示すマトリックス(matrix)で、図１にはこのような光経路設定マトリックスに基づいてノード２００のＣとノード２００のＦとの間の第１光ファイバリンク１１０を通過する光経路を示す。 
【００２７】
　環状光ネットワークは第１光ファイバリンク１１０及び第２光ファイバリンク１２０を含み、各光ファイバリンクに伝送されるチャンネルは正常状態でのワーキングチャンネル(working channel)とリンク障害状態でのプロテクションチャンネル(protection channel)で構成される。下記の表２は環状光ネットワークのチャンネル別波長割り当てを示す。
【００２８】
【表２】
2004140834.tif 000004
【００２９】
　上記表２に示したように、ワーキングチャンネルの波長とプロテクションチャンネルの波長は相互に区分され、これにより、リンク障害が発生した場合に以前の進行方向の反対方向に進行するために他の光ファイバリンクにスイッチングされたとき、従来の通信をなすチャンネルに影響せずにスイッチング復旧が可能になる。これに関する詳しい説明は、後述する。
【００３０】
　図２は、図１によるノードの構成を示すものである。ノード２００は第１及び第２分離部２１０，２４０と、第１及び第２アド／ドロップ部２２０，２５０と、第１及び第２スイッチング部２３０，２６０と、制御部２７０とを含む。 
【００３１】
　第１分離部２１０は、第１光ファイバリンク１１０に進行する光信号からプロテクションチャンネルを分離する機能を遂行する。すなわち、第１分離部２１０は第１ファイバリンク１１０上に設けられ、ワーキングチャンネルとプロテクションチャンネルで構成された光信号からプロテクションチャンネルを分離する。第１分離部２１０としては、帯域通過フィルタのような光フィルタ、ＷＤＭカプラ(coupler)などを使用することができる。 
【００３２】
　第１アド／ドロップ部２２０は、第１分離部２１０を通過することによりプロテクションチャンネルが除去された光信号を逆多重化した後、多重化する過程を通じてチャンネルアド／ドロップを遂行する。この第１アド／ドロップ部２２０は第１デマルチプレクサ２２１と、第１及び第２タップカプラ２２３，２２４と、第１光送信機２２７及び第１光受信機２２６を備える第１光送受信機モジュール２２５と、第１マルチプレクサ２２２とを含む。
【００３３】
　第１デマルチプレクサ２２１は、第１分離部２１０を通過して入力された光信号を波長分割逆多重化して多数のチャンネルに出力する。この第１デマルチプレクサ２２１としては光導波路列格子を使用することができる。 
【００３４】
　第１光受信機２２６は、第１デマルチプレクサ２２１から出力された多数のチャンネルのうちドロップされたチャンネルを検出する機能を遂行し、そのドロップされたチャンネルを光電変換して出力する。第１光受信機２２６としては、フォトダイオードが使用可能である。 
【００３５】
　第１タップカプラ２２３は、第１デマルチプレクサ２２１と第１光受信機２２６との間の経路上に設けられ、第１光受信機２２６に入力されるチャンネルの一部を分岐して出力する。
【００３６】
　第１光送信機２２７はアドされるチャンネルを出力し、第１光送信機２２７としてはレーザダイオードが使用可能である。 
【００３７】
　第２タップカプラ２２４は、第１光送信機２２７と第１マルチプレクサ２２２との間の経路上に設けられ、第１光送信機２２７から出力されるチャンネルの一部を分岐して出力する。
【００３８】
　第１マルチプレクサ２２２は、第１デマルチプレクサ２２１から入力されたチャンネルと、第１光送信機２２７から入力されたチャンネルとを波長分割多重化して出力する。
【００３９】
　第１スイッチング部２３０は、隣接ノード間のリンク障害がない場合にプロテクションチャンネルを、第１光ファイバリンク１１０に進むチャンネルアド／ドロップされる光信号と結合させ、隣接ノード間のリンク障害がある場合にプロテクションチャンネルを、第２光ファイバリンク１２０に進む光信号と結合させる機能を遂行する。第１スイッチング部２３０は第１スイッチ２３２と、第１〜第３カプラ２３４〜２３６とを含む。
【００４０】
　第１スイッチ２３２は、第１分離部２１０から入力されたプロテクションチャンネルをそのまま通過させ、あるいはスイッチングする機能を遂行する。 
【００４１】
　第１カプラ２３４は、第１スイッチ２３２を通過したプロテクションチャンネルと、第２アド／ドロップ部２５０から入力されたプロテクションチャンネルとを結合して出力する。
【００４２】
　第２カプラ２３５は、第１マルチプレクサ２２２から入力されるチャンネルアド／ドロップされた光信号と第１カプラ２２４から入力されたプロテクションチャンネルとを結合して出力する。
【００４３】
　第３カプラ２３６は、第２分離部２４０と第２アド／ドロップ部２５０との間に設けられ、第１スイッチ２３２から出力されるスイッチングされたプロテクションチャンネルを、第２分離部２４０から出力される光信号と結合させる。
【００４４】
　第２分離部２４０は、第２光ファイバリンク１２０に進行する光信号からプロテクションチャンネルを分離する機能を遂行する。すなわち、第２分離部２４０は第２光ファイバリンク１２０上に設けられ、ワーキングチャンネルとプロテクションチャンネルからなる光信号からプロテクションチャンネルを分離する。第２分離部２４０としては帯域通過フィルタのような光フィルタ、ＷＤＭカプラなどを使用することができる。 
【００４５】
　第２アド／ドロップ部２５０は、第２分離部２４０を通過することによりプロテクションチャンネルが除去された光信号を逆多重化した後に多重化する過程を通じてチャンネルアド／ドロップを遂行する。第２アド／ドロップ部２５０は第２デマルチプレクサ２５１と、第３及び第４タップカプラ２５３，２５４と、第２光送信機２５７及び第２光受信機２５６を備える第２光送受信機モジュール２５５と、第２マルチプレクサ２５２とを含む。
【００４６】
　第２デマルチプレクサ２５１は、第２分離部２４０を通過して入力された光信号を波長分割逆多重化して多数のチャンネルに出力する。この第２デマルチプレクサ２５１としては光導波路列格子を使用することができる。 
【００４７】
　第２光受信機２５６は、第２デマルチプレクサ２５１から出力された多数のチャンネルのうち、ドロップされたチャンネルを検出する機能を遂行し、このドロップされたチャンネルを光電変換して出力する。第２光受信機２５６としてはフォトダイオードが使用可能である。
【００４８】
　第３タップカプラ２５３は、第２デマルチプレクサ２５１と第２光受信機２５６との間の経路上に設けられ、第２光受信機２５６に入力されるチャンネルの一部を分岐して出力する。
【００４９】
　第２光送信機２５７はアドされるチャンネルを出力し、第２光送信機２５７としてはレーザダイオードが使用可能である。 
【００５０】
　第４タップカプラ２５４は、第２光送信機２５７と第２マルチプレクサ２５２との間の経路上に設けられ、第２光送信機２５７から出力されるチャンネルの一部を分岐して出力する。
【００５１】
　第２マルチプレクサ２５２は、第２デマルチプレクサ２５１から入力されたチャンネルと、第１光送信機２５７から入力されたチャンネルとを波長分割多重化して出力する。
【００５２】
　第２スイッチング部２６０は、隣接ノード間のリンク障害がない場合、プロテクションチャンネルを、第２光ファイバリンク１２０に進行するチャンネルアド／ドロップされた光信号と結合させ、隣接ノード間のリンク障害がある場合にプロテクションチャンネルを、第１光ファイバリンク１１０に進行する光信号と結合させる機能を遂行する。第２スイッチング部２６０は第２スイッチ２６２と、第４〜第６カプラ２６４〜２６６とを含む。
【００５３】
　第２スイッチ２６２は、第２分離部２４０から入力されたプロテクションチャンネルをそのまま通過させ、あるいはスイッチングする機能を遂行する。 
【００５４】
　第４カプラ２６４は、第２スイッチ２６２を通過したプロテクションチャンネルと、第１アド／ドロップ部２２０から入力されたプロテクションチャンネルとを結合して出力する。 
【００５５】
　第５カプラ２６５は、第２マルチプレクサ２５２から入力されるチャンネルアド／ドロップされた光信号と第４カプラ２６４から入力されるプロテクションチャンネルとを結合して出力する。
【００５６】
　第６カプラ２６６は、第１分離部２１０と第１アド／ドロップ部２２０との間に設けられ、第２スイッチ２６２から出力されたスイッチングプロテクションチャンネルを、第１分離部２１０に入力される光信号と結合させる。
【００５７】
　制御部２７０は、障害が発生したリンクを認識し、スイッチング復旧のために第１スイッチ２３２、第２スイッチ２６２、第１光送受信機モジュール２２５、及び第２光送受信機モジュール２５５を制御するようになる。もし、環状光ネットワーク上の所定リンクに障害が発生すれば、当該リンク障害により所定チャンネルが該当ノード２００に到達しないようになる。制御部２７０は、第１または第３タップカプラ２２３，２５３によりこのような障害状況を認識する。まず、リンク障害の影響により伝送されないチャンネルがある場合、第１または第２光送信機２２７，２５７のプロテクションチャンネルを利用してループバック(loop-back)過程を遂行する。すなわち、第１または第２光送信機２２７，２５７から出力されるプロテクションチャンネルを他方の光ファイバリンクに出力することによりループバック過程を遂行する。このとき、プロテクションチャンネルは他方の光ファイバリンクに進行して光信号と結合される。この光信号が次のノードに到着すれば、第１または第２分離部２１０，２４０を通るようになる。ここで、第１または第２分離部２１０，２４０の役割は入力された光信号からプロテクションチャンネルを分離させるものである。このように分離されたプロテクションチャンネルが第１または第２スイッチ２３２，２６２に入力され、残りの光信号は第１または第２デマルチプレクサ２２１，２５１に入力される。このとき、制御部２７０は第１または第２スイッチ２３２，２６２を制御するようになるが、該当ノード２００が障害のあるリンクの隣接ノードでなければ、第１または第２スイッチ２３２，２６２を並行状態に操作することで、プロテクションチャンネルを単純通過させる。もし、該当ノード２００が障害の発生したリンクの隣接ノードであれば、制御部２７０は、第１または第２スイッチ２３２，２６２をクロス状態で操作することにより、プロテクションチャンネルを他方の光ファイバリンクに設けられた第１または第２デマルチプレクサ２２１，２５１にフィードバック(feed-back)させてスイッチング復旧を遂行する。
【００５８】
　図３は、図１に示した環状光ネットワークでノードＣとノードＦとの間の光ファイバリンクに障害が発生した場合に、そのノードＦのスイッチング復旧過程を説明するためのものである。リンク障害以前の第１光受信機２２６は、第１デマルチプレクサ２２１によりドロップされるチャンネルを受信しているが、リンク障害直後は、当該チャンネルを一時的に受信しなくなる。同様に、第１タップカプラ２２３も、リンク障害直後は前記チャンネルを分岐して出力しなくなる。制御部２７０は、第１タップカプラ２２３から分岐された光の入力がなくなることにより、隣接ノードとの光ファイバリンクに障害が発生したことを認識する。制御部２７０はリンク障害を認識すると、ループバック過程とフィードバック過程とからなるスイッチング復旧過程を遂行するようになる。
【００５９】
　まず、ループバック過程を説明すれば、制御部２７０が第２光送信機２５７に制御信号を出力することにより、第２光送信機２５７がプロテクションチャンネルを出力するようにする。このプロテクションチャンネルは第１カプラ２３４を経て第２カプラ２３５に入力され、第２カプラ２３５はプロテクションチャンネルと第１マルチプレクサ２２２から入力された光信号とを結合して出力する。 
【００６０】
　次にフィードバック過程を説明すれば、第２分離部２４０は、入力された光信号からプロテクションチャンネルを分離して第２スイッチ２６２に出力するようになり、制御部２７０は第２スイッチ２６２をクロス状態で操作するために制御信号を出力する。第２スイッチ２６２によりスイッチングされたプロテクションチャンネルは、第６カプラ２６６を経て第１デマルチプレクサ２２１に入力される。 
【００６１】
　図４は、図１に示した環状光ネットワークでノードＣとノードＦとの間の光ファイバリンクに障害が発生した場合におけるノード２００のＧ，Ｈ，Ａ，Ｂの動作過程を説明するためのものである。第１分離部２１０は、入力された光信号からプロテクションチャンネルを分離して出力し、残りの光信号は通過させる。第１スイッチ２３２は並行状態にあり、プロテクションチャンネルは第１スイッチ２３２、第１カプラ２３４を通過して第２カプラ２３４に入力される。第２カプラ２３４は第１マルチプレクサ２２２から出力された光信号とプロテクションチャンネルとを結合して出力する。同様に、第２分離部２４０に入力されたプロテクションチャンネルは並行状態の第２スイッチ２６２、第４カプラ２６４を通過して第５カプラ２６５に入力される。第５カプラ２６５は第２マルチプレクサ２５２から出力された光信号とプロテクションチャンネルとを結合して出力する。 
【００６２】
　以上のように、環状光ネットワークにおいて、プロテクションチャンネルが障害光ファイバリンクの隣接ノードで第１または第２デマルチプレクサ２２１，２５１にフィードバックされることにより、リンク障害が発生する前に予定された自分の光経路を有するように設定されている。ＷＤＭ環状光ネットワークで必須的に要求される機能がスイッチング復旧に対する機能である。このようなスイッチング復旧は所定リンクが切られるなどの問題が生じた場合、これを復旧するメカニズムを意味するが、これを迅速に遂行するのが環状光ネットワークでは非常に重要である。本例の環状光ネットワークでは迅速なスイッチング復旧のために第１〜第３タップカプラ２２３〜２５３を利用して逆多重化された後のドロップされたチャンネルを検出し、これを制御部２７０に出力してドロップされたチャンネルの受信有無をチェックして認識する。下記の表３は環状光ネットワークにおける第２光ファイバリンク１２０の光経路設定を示すマトリックスである。
【００６３】
【表３】
2004140834.tif 000005
【００６４】
　上記表１〜表３を参照すれば、所定リンクが切られると、スイッチング復旧が遂行される前に各ノード２００は切られたリンクの位置により一部チャンネルを受信することができなくなる。図２に示したように、各ノード２００はドロップされるチャンネルに第１または第３タップカプラ２２３，２５３を設けてチャンネルの光強さを常にチェックするようになっており、所定のノード２００でこれをチャンネル別に認識すれば、切られたリンクがいずれのものかわかるようになり、適切なスイッチングを遂行するようになる。このようなメカニズムによれば、所定リンクに障害が発生した場合、すべてのノード２００で同時にリンク障害を認識し、該当ノード２００で同時に適切に動作することにより、全体的なスイッチング復旧時間を短縮することができる。
【図面の簡単な説明】
【００６５】
【図１】本発明に係る２−光ファイバ環状光ネットワークの構成例を示す図。
【図２】図１中のノードの構成例を示す図。
【図３】図１に示した環状光ネットワークで、ノードＣとノードＦとの間の光ファイバリンクに障害が発生した場合にノードＦをスイッチングする過程を説明するための図。
【図４】図１に示した環状光ネットワークで、ノードＣとノードＦとの間の光ファイバリンクに障害が発生した場合にノードＧの動作過程を説明するための図。
【図１】
2004140834.tif 000006
【図２】
2004140834.tif 000007
【図３】
2004140834.tif 000008
【図４】
2004140834.tif 000009